【事件の表示】
　特願２０１５−　４５１８３「情報処理装置、及び情報処理システム」拒絶査定不服審判事件〔平成２８年　９月　８日出願公開、特開２０１６−１６３９８２〕について、次のとおり審決する。
【結　論】
　本件審判の請求は、成り立たない。
【理　由】
１　手続の経緯 
　本願は、平成２７年３月６日の出願であって、平成３０年７月１７日付けで拒絶の理由が通知され、同年１０月１日に意見書及び手続補正書が提出されたところ、同年１０月３１日付けで拒絶査定がなされ、それに対して、平成３１年１月３０日に拒絶査定不服審判の請求がなされると同時に手続補正がなされ、これに対し、当審において、令和１年１０月１０日付けで拒絶の理由が通知され、同年１２月１２日に意見書及び手続補正書（以下、この手続補正書による手続補正を「本件補正」という。）が提出されたものである。
２　本願発明
　本願の請求項１に係る発明（以下「本願発明」という。）は、本件補正により補正された特許請求の範囲の請求項１に記載された事項により特定されるとおりのものと認められるところ、本願発明は次のとおりである。
　
「【請求項１】
　情報の入出力に関する複数の機能部と、
　前記複数の機能部のうちの予め選択された機能部を使用したサービスを提供する際に、利用者に応じて前記サービスの名称及び前記サービスの内容を含む前記サービスのアイコンを選択肢として並べた操作画面を表示部に表示させるサービス制御部と
　を備えることを特徴とする情報処理装置。」
　ここで、請求項１の「利用者に応じて前記サービスの名称及び前記サービスの内容を含む前記サービスのアイコンを選択肢として並べた操作画面を表示部に表示させる」との記載に関連して、発明の詳細な説明には次の記載がある。
「【００８６】
　また、
図１１（ｂ）は、画像形成装置１０における貸出サービスを提供するメニュー画面（画像Ｇ２）の一例を示している
画像Ｇ２に示すようなメニュー画面を
表示する
利用者が、契約している貸出サーバビス
画像Ｇ２に示すように、提供可能な貸出サービスのみを
表示する
【００８７】
　また、
図１１（ｃ）は、画像形成装置１０における貸出サービスを提供するメニュー画面（画像Ｇ３）の別の一例を示している
貸出サービスとともに、通常サービスを、異なる表示形態（例えば、表示を薄くするなど）により表示させる
貸出サービスによって提供されないサービスを、貸出サービスとは異なる表示形態でメニュー画面に表示させる
　上記記載を参酌すれば、請求項１の「利用者に応じて前記サービスの名称及び前記サービスの内容を含む前記サービスのアイコンを選択肢として並べた操作画面を表示部に表示させる」とは、利用者が契約している貸出サービスに応じて、貸出サービスによって提供可能な貸出サービスのみをメニュー画面に表示させたり、貸出サービスによって提供されないサービスを貸出サービスとは異なる表示形態でメニュー画面に表示させたりすることを意味するものと解するのが相当である。
　なお、このような解釈は、請求人が、令和１年５月１５日の上申書において、利用者に応じてサービスの名称及びサービスの内容を含むサービスのアイコンを選択肢として並べた操作画面を表示部に表示させることが本願の特徴であり、図１１（ａ）、（ｂ）、（ｃ）ではサービスの選択画面において利用者に応じて表示を行う一例を示していると説明していることに沿うものである。
３　拒絶の理由
　令和１年１０月１０日付けで当審が通知した拒絶の理由は、概略、次の理由を含むものである。
（進歩性）本件出願の請求項１に係る発明は、その出願前日本国内又は外国において頒布された以下の引用文献１及び引用文献２に記載された発明に基いて、その出願前にその発明の属する技術の分野における通常の知識を有する者が容易に発明をすることができたものであるから、特許法第２９条第２項の規定により特許を受けることができない。
　引用文献１：特開２００３−２２９９８６号公報
　引用文献２：特開２０１５−３７８７３号公報
４　引用文献の記載及び引用発明
（１）引用文献１には、図面と共に次の事項が記載されている（下線は当審で付した。）。 
「【０１０４】（実施の形態１）図１は、この発明の実施の形態１である画像形成装置（以下、「複合機」という）の機能的構成を示すブロック図である。図１に示すように、複合機１００は、
白黒ラインプリンタ（Ｂ＆Ｗ　ＬＰ）１０１と、カラーラインプリンタ（Ｃｏｌｏｒ　ＬＰ）１０２と、スキャナ、ファクシミリ、ハードディスク、メモリ、ネットワークインタフェースなどのハードウェアリソース１０３
「【０１１８】セキュアアプリ１１７は、複合機１００の利用者を後述する利用者コードによってチェックして、後述する利用者データベース３２０に登録されている利用者コードを有する利用者のみが複合機１００を利用できるように制限する利用者制限処理を行うものである。また、
セキュアアプリ１１７は
コピー、プリンタ、スキャナ、ファクシミリなどのユーザサービスの中から利用者に対して利用権限のある機能だけを提供可能とする利用者制限を行う
セキュアアプリ１１７は、この利用者制限処理の際にオペレーションパネル２１０に対して種々の画面表示を
依頼する
「【０１２２】
オペレーションパネル２１０は、利用者のキー入力、ボタン押下などのキー操作を入力する操作部と、ボタン、ウィンドウ、各種画面などの描画データを表示する表示部とから構成される
「【０１２４】ハードディスク（ＨＤ）２０５には利用者データベース３２０が格納されている。利用者データベース３２０は、複合機１００を利用できる利用者を管理するファイルである。図４は、この利用者データベース３２０に登録されるレコードのデータ構造図である。図４に示すように、利用者データベース３２０には、「利用者コード」と、「利用者名」と、「所属」と、「利用権限」とからなるデータが一レコードとして登録されている。
【０１２５】「利用者コード」は、各利用者に一意的に決定される識別コードであり、本発明における利用者識別情報を構成する。「利用者名」は、利用者の氏名であり、「所属」は利用者が属する部門である。「利用権限」は利用者が利用可能なユーザサービスを登録したものであり、本発明における利用権限情報を構成する。この
「利用権限」には、「コピー」、「プリンタ」、「スキャナ」、「ファクシミリ」、「コピーサーバ」などのユーザサービス名の中で、利用者が利用可能なものが設定され
「【０１３２】次に、制御権限を付与された
セキュアアプリ１１７による利用者制限処理
図９（ａ）〜（ｃ）は、利用者制限処理においてオペレーションパネル２１０の表示部に表示される画面の一例を示す模式図である
【０１３３】セキュアアプリ１１７は、ＳＣＳ１２２から制御権限付与の通知メッセージを受信すると（ステップＳ６０１）、オペレーションパネル２１０に対して初期画面（図示せず）を表示した後、図９（ａ）に示す利用者選択画面を表示する（ステップＳ６０２）。利用者選択画面に表示する利用者名は、図９（ａ）に示すように、ＨＤ２０５の利用者データベース３２０を参照して登録済み利用者名を、所属（企画、技術、営業、購買、品質管理）ごとに異なるタブでグループ分けをして表示する。
【０１３４】ここで、オペレーションパネル２１０に対する画面表示は、実際にはセキュアアプリ１１７の表示依頼によりＯＣＳ１２６が行う。すなわち、セキュアアプリ１１７がＯＣＳ１２６に対して表示すべき描画情報（ウィンドウＩＤ、ボタンＩＤなどの識別情報）を指定して描画関数の呼び出しを行うことにより（ステップＳ３０７）、ＯＣＳ１２６が指定された描画情報の表示処理を行う（ステップＳ３０８）。
【０１３５】この利用者選択画面において利用者名のボタンが選択された場合には、そのキーイベントがセキュアアプリ１１７に通知される。ここで、オペレーションパネル２１０からのキー入力、ボタン押下などの操作は、図３に示すようにＯＣＳ１２６とＳＣＳ１２２を順に介してセキュアアプリ１１７に通知される（ステップＳ３０９、Ｓ３１０、Ｓ３１１）。より具体的には、ＯＣＳ１２６、ＳＣＳ１２２で次の処理が行われる。
【０１３６】図７は、実施の形態１の複合機１００におけるＯＣＳ１２６およびＳＣＳ１２２によるオペレーションパネル２１０からのキー操作の取得処理の手順を示すフローチャートである。図７に示すように、オペレーションパネル２１０においてキー操作があると、ＯＣＳ１２６で押下されたキーまたはボタンに対応したキーイベント関数を発行してキーイベントをＳＣＳ１２２に送信する（ステップＳ７０１）。
【０１３７】ＳＣＳ１２２では、このキーイベント関数の呼び出しをされることによりキーイベントを受信し（ステップＳ７０２）、受信したキーイベントをＳＤＲＡＭ２０３の優先アプリ領域３２３に設定されているアプリケーションに送信する（ステップＳ７０３）。ここで、ＳＤＲＡＭ２０３の優先アプリ領域３２３には、現在オペレーションパネル２１０に対する制御権限を有しているアプリケーション１３０が設定されているので、キー操作が正常に処理されることになる。
【０１３８】ステップＳ６０２による利用者選択画面に対して利用者名の選択ボタンの押下があった時点では、ＳＤＲＡＭ２０３の優先アプリ領域３２３には、制御権限のあるセキュアアプリ１１７が設定されているため、キーイベントはＯＣＳ１２６、ＳＣＳ１２２を介してセキュアアプリ１１７に通知されることになる。
【０１３９】利用者名の選択が行われると、セキュアアプリ１１７は、図９（ｂ）に示す利用者コード入力画面を表示し（ステップＳ６０３）、利用者コードの入力待ち状態となる（ステップＳ６０４）。そして、利用者コードが入力された場合には、利用者データベース３２０を参照して、選択された利用者名の利用者コードと、オペレーションパネル２１０から入力された利用者コードとが一致しているか否かを判断する（ステップＳ６０５、Ｓ３１２　）。
【０１４０】両利用者コードが一致していない場合には、利用者コードエラーの旨をオペレーションパネル２１０に表示し（ステップＳ６０９）、再度利用者入力画面を表示する（ステップＳ６０３）。
【０１４１】両利用者コードが一致している場合には入力された利用者コードが正しいと判断し、この利用者コードのレコードから利用権限の内容を取得する（ステップＳ６０６）。この
利用権限には、利用者が利用可能なユーザサービスの名称が列挙されているので、図９（ｃ）に示すように、列挙されたユーザサービスのボタンのみを選択可能に表示した機能選択画面を表示する
図９（ｃ）の機能選択画面には、斜線で示す「コピー」ボタンと「ファクシミリ」ボタンが選択可能で他のサービスは選択不可能に表示されている
（認定事項）
　図９（ｃ）から、オペレーションパネルの表示部に、コピー、プリンタ、ファクシミリ、スキャナなどのユーザサービスの名称を付したボタンが並べて表示されていることが見て取れる。
　以上の記載事項及び認定事項から、引用文献１には、次の発明が記載されていると認められる。
「白黒ラインプリンタ（Ｂ＆Ｗ　ＬＰ）１０１と、カラーラインプリンタ（Ｃｏｌｏｒ　ＬＰ）１０２と、スキャナ、ファクシミリ、ハードディスク、メモリ、ネットワークインタフェースなどのハードウェアリソース１０３と、
　利用者のキー入力、ボタン押下などのキー操作を入力する操作部と、ボタン、ウィンドウ、各種画面などの描画データを表示する表示部とから構成されるオペレーションパネル２１０と、
　コピー、プリンタ、スキャナ、ファクシミリなどのユーザサービスの中から利用者に対して利用権限のある機能だけを提供可能とする際に、コピー、プリンタ、ファクシミリ、スキャナなどのユーザサービスの名称を付したユーザサービスのボタンを並べて表示するとともに、利用者が利用可能なユーザサービスのボタンを選択可能に表示し、他のサービスのボタンを選択不可能に表示する機能選択画面を前記オペレーションパネル２１０の表示部に表示させるセキュアアプリ１１７と
　を備える複合機１００。」（以下「引用発明１」という。）
（２）引用文献２には、図面と共に次の事項が記載されている（下線は当審で付した。）。
「【００１１】
　以下、図面を参照して本発明の実施の形態の一例を詳細に説明する。ここでは、具体的一例として、
コピーサービス処理機能、ファックスサービス処理機能、及びスキャナサービス処理機能を有する複合機
「【００１９】
　図２に示すように、本実施の形態の表示操作部３０は、中央部分に
ＬＣＤ３８及びタッチパネル４０機能を有する
操作パネルが設けられている
「【００２３】
　次に、本実施の形態の表示制御装置１０における、表示操作部３０の表示制御処理動作について説明する。図３は、表示制御装置１０で実行される表示制御処理の一例を示すフローチャートである。なお、ここでは、説明を簡略化するため、サービス処理（以下、サービスという）としてコピーサービスを利用者が選択する場合について、詳細に説明する。また、コピーサービスには、通常コピーサービス（以下、通常コピーという）と、簡易コピーサービス（以下、簡易コピーという）と、２つの処理がある。通常コピーは、複数の機能（倍率選択、用紙選択、わく消し等、詳細後述）を有しており、コピーにおける詳細な機能（項目）の設定を利用者が行えるサービスである。一方、簡易コピーは、通常コピーが有する機能の一部（詳細後述）を有しており、限られた機能の設定を利用者が行えるサービスである。なお、一般に簡易コピーは、利用者がよく使用する機能を有している。本実施の形態では、このように、上述の通常コピーのように、サービスにおける利用者が設定可能な全ての機能の設定が可能なサービスを通常サービスという。また、上述の簡易コピーのように、サービスに関する利用者が設定可能な機能の一部の設定が可能なサービスを簡易サービスという。
【００２４】
　ＬＣＤ３８にメニュー画面が表示された状態において、図３に示した本処理が実行される。本実施の形態におけるメニュー画面の具体的一例を図４に示す。本実施の形態の
メニュー画面は、通常コピー選択ボタン６０、簡易コピー選択ボタン６１、通常ファックス選択ボタン６２、簡易ファックス選択ボタン６３、通常スキャナ選択ボタン６４、簡易スキャナ選択ボタン６５、及びメッセージ表示欄６６を含んで構成されている
【００２５】
　利用者により何もサービスが選択されていない場合は、メッセージ表示欄６６には、図４に示すように、使用するサービスを選択するように促すメッセージが表示されている。
【００２６】
　通常コピー選択ボタン６０、簡易コピー選択ボタン６１、通常ファックス選択ボタン６２、簡易ファックス選択ボタン６３、通常スキャナ選択ボタン６４、及び簡易スキャナ選択ボタン６５は、各サービスを利用者が選択するためのボタンであり、本実施の形態では、タッチパネル４０であるため、各選択ボタンはＬＣＤ３８に表示された各画像であり、利用者は、利用したいサービスの画像をタッチする（ボタンが押し下げられたものとみなされる）ことにより、各サービスを選択する。
【００２７】
　本実施の形態では、
簡易コピー選択ボタン６１には、サービスの名称と、簡易コピーサービスが有する、利用者によって設定可能な全ての機能を表す各機能毎の画像（アイコン）７０、７２、７４、７６、７８、８０、８２、８４と、が表示されている
倍率選択機能、用紙選択機能、コピー濃度選択機能、及びコピー部数選択機能を有しており、その他の機能として、カラーモード選択機能、両面／片面選択機能、２枚の用紙上の画像をまとめて１枚に印刷する
機能、及び用紙の左上１ヵ所をホチキス止めする
機能
簡易コピー選択ボタン６１には、これら各機能に対応するアイコンが表示されている
各機能に対応するアイコンには、それぞれの機能の設定値（パラメータ）や設定値が反映された機能が表示されている
【００２８】
　
倍率選択アイコン７０は、倍率選択機能
カラーモード選択アイコン７２は、カラーモード選択機能
ホチキス選択アイコン７４は、ホチキス左上１ヵ所機能
用紙の左上１ヵ所にホチキス止めする
用紙選択アイコン７６は、用紙選択機能
両面／片面選択アイコン７８は、両面／片面選択機能
コピー濃度選択アイコン８０は、コピー濃度選択機能
まとめて１枚選択アイコン８２は、まとめて１枚機能
コピー部数選択アイコン８４は、コピー部数選択機能
【００２９】
　また、本実施の形態では、
通常コピー選択ボタン６０には、通常サービスが有している機能のうち、簡易コピーサービスが有していない機能が各機能毎に表示されている
【００３０】
　本実施の形態における通常コピー選択ボタン６０の詳細図を図６に示す。なお、通常コピーが有する機能については詳細を後述する。図６に示すように、
通常コピー選択ボタン６０には、サービスの名称と、わく消し機能を有していること示す、わく消し選択アイコン９０、製本機能を有していることを示す、製本選択アイコン９２、及びコピー位置／とじしろ機能を有していることを示すコピー位置／とじしろ選択アイコン９４と、が表示されている
それぞれの機能の設定値（パラメータ）が表示されていてもよい
「【００４２】
　なお、本実施の形態では、通常ファックス及び簡易ファックスが上述した機能を有するため、メニュー画面（図４）の
通常ファックス選択ボタン６２上には、簡易ファックスに無い機能である、リダイヤル機能を示すリダイヤルアイコン１５０、送信濃度を選択する機能を示す送信濃度選択アイコン１５２、及び宛先表を表示させて宛先を選択する機能を示す宛先選択アイコン１５４が表示される
簡易ファックス選択ボタン６３上には、簡易ファックスが有する全機能を示すアイコンとして、送信画質選択アイコン１５６、原稿の画質設定アイコン１５８、及び両面原稿送りアイコン１６０が表示される
【００４３】
　さらに、
通常表示画面及び簡易表示画面において設定値が変更されれば、変更された設定値がメニュー画面のアイコンの画像に反映される
【００４４】
　また、説明を省略するが、
スキャナサービスが選択された場合についても同様の処理が行われる
　以上の記載事項から、引用文献２には、次の発明が記載されていると認められる。
「コピーサービス処理機能、ファックスサービス処理機能、及びスキャナサービス処理機能を有する複合機であって、
ＬＣＤ３８及びタッチパネル４０機能を有する操作パネルが設けられ、
　前記操作パネルにおいて、メニュー画面が、通常コピー選択ボタン６０、簡易コピー選択ボタン６１、通常ファックス選択ボタン６２、簡易ファックス選択ボタン６３、通常スキャナ選択ボタン６４、簡易スキャナ選択ボタン６５、及びメッセージ表示欄６６を含んで構成され、
前記簡易コピー選択ボタン６１には、サービスの名称と、簡易コピーサービスが有する、利用者によって設定可能な全ての機能を表す各機能毎の画像（アイコン）として、倍率選択アイコン７０、カラーモード選択アイコン７２、ホチキス選択アイコン７４、用紙選択アイコン７６、両面／片面選択アイコン７８、コピー濃度選択アイコン８０、まとめて１枚選択アイコン８２、コピー部数選択アイコン８４がそれぞれの機能の設定値（パラメータ）や設定値が反映された機能を含んで表示され、 
　前記通常コピー選択ボタン６０には、サービスの名称と、通常サービスが有している機能のうち、簡易コピーサービスが有していない機能である、わく消し機能を有していること示す、わく消し選択アイコン９０、製本機能を有していることを示す、製本選択アイコン９２、及びコピー位置／とじしろ機能を有していることを示すコピー位置／とじしろ選択アイコン９４と、がそれぞれの機能の設定値（パラメータ）を含んで表示され、 
　前記簡易ファックス選択ボタン６３上には、サービスの名称と、簡易ファックスが有する全機能を示すアイコンとして、送信画質選択アイコン１５６、原稿の画質設定アイコン１５８、及び両面原稿送りアイコン１６０が設定値を含んで表示され、 
　前記通常ファックス選択ボタン６２上には、簡易ファックスに無い機能である、リダイヤル機能を示すリダイヤルアイコン１５０、送信濃度を選択する機能を示す送信濃度選択アイコン１５２、及び宛先表を表示させて宛先を選択する機能を示す宛先選択アイコン１５４が設定値を含んで表示され、 
　スキャナサービスについても同様である、 
　複合機。」（以下「引用発明２」という。）
５　対比
　本願発明と引用発明１とを対比する。
　
（１）引用発明１の「白黒ラインプリンタ（Ｂ＆Ｗ　ＬＰ）１０１と、カラーラインプリンタ（Ｃｏｌｏｒ　ＬＰ）１０２と、スキャナ、ファクシミリ、ハードディスク、メモリ、ネットワークインタフェース」は、いずれも情報の入出力機能を有することが明らかであるから、本願発明の「情報の入出力に関する複数の機能部」に相当する。
（２）技術的にみて、引用発明１において、「コピー、プリンタ、スキャナ、ファクシミリなどのユーザサービス」が、「白黒ラインプリンタ（Ｂ＆Ｗ　ＬＰ）１０１と、カラーラインプリンタ（Ｃｏｌｏｒ　ＬＰ）１０２と、スキャナ、ファクシミリ、ハードディスク、メモリ、ネットワークインタフェース」のうちの予め選択されたものを使用して行われるサービスであることは明らかである。
　また、引用発明１の「コピー、プリンタ、ファクシミリ、スキャナなどのユーザサービスの名称を付したユーザサービスのボタン」は、「オペレーションパネル２１０の表示部に表示」されるものであるから、ユーザサービスの名称を含むユーザサービスのアイコンといえる。
　さらに、引用発明１の「コピー、プリンタ、スキャナ、ファクシミリなどのユーザサービスの中から利用者に対して利用権限のある機能だけを提供可能とする際に、コピー、プリンタ、ファクシミリ、スキャナなどの」「ユーザサービスのボタンを並べて表示するとともに、利用者が利用可能なユーザサービスのボタンを選択可能に表示し、他のサービスのボタンを選択不可能に表示する」ことは、上記２の請求項の記載の解釈に基づけば、本願発明の「利用者に応じて前記サービスの名称及び前記サービスの内容を含む前記サービスのアイコンを選択肢として並べた操作画面を表示部に表示させる」ことに相当する。
　したがって、引用発明１の「コピー、プリンタ、スキャナ、ファクシミリなどのユーザサービスの中から利用者に対して利用権限のある機能だけを提供可能とする際に、コピー、プリンタ、ファクシミリ、スキャナなどのユーザサービスの名称を付したユーザサービスのボタンを並べて表示するとともに、利用者が利用可能なユーザサービスのボタンを選択可能に表示し、他のサービスのボタンを選択不可能に表示する機能選択画面を前記オペレーションパネル２１０の表示部に表示させるセキュアアプリ１１７」と、本願発明の「前記複数の機能部のうちの予め選択された機能部を使用したサービスを提供する際に、利用者に応じて前記サービスの名称及び前記サービスの内容を含む前記サービスのアイコンを選択肢として並べた操作画面を表示部に表示させるサービス制御部」とは、「前記複数の機能部のうちの予め選択された機能部を使用したサービスを提供する際に、利用者に応じて前記サービスの名称を含む前記サービスのアイコンを選択肢として並べた操作画面を表示部に表示させるサービス制御部」である限りにおいて共通する。
（３）引用発明１の「複合機１００」は、コピー、プリンタ、スキャナ、ファクシミリなどのユーザサービスを提供可能とするから、情報処理を行う装置ということができ、本願発明の「情報処理装置」に相当する。
　してみると、本願発明と引用発明１とは、
「情報の入出力に関する複数の機能部と、
　前記複数の機能部のうちの予め選択された機能部を使用したサービスを提供する際に、利用者に応じて前記サービスの名称を含む前記サービスのアイコンを選択肢として並べた操作画面を表示部に表示させるサービス制御部と
　を備える情報処理装置。」
である点で一致し、次の点で相違する。
　
（相違点）
　サービス制御部が、複数の機能部のうちの予め選択された機能部を使用したサービスを提供する際に、表示部に表示させる操作画面に利用者に応じて選択肢として並べるサービスの名称を含む、サービスのアイコンについて、本願発明は、サービスの内容をも含むものであるのに対し、引用発明１は、サービスの内容を含むものではない点。
６　判断
　引用発明２の「簡易コピー選択ボタン６１に」「簡易コピーサービスが有する、利用者によって設定可能な全ての機能を表す各機能毎の画像（アイコン）として、倍率選択アイコン７０、カラーモード選択アイコン７２、ホチキス選択アイコン７４、用紙選択アイコン７６、両面／片面選択アイコン７８、コピー濃度選択アイコン８０、まとめて１枚選択アイコン８２、コピー部数選択アイコン８４がそれぞれの機能の設定値（パラメータ）や設定値が反映された機能を含んで表示され」ることは、簡易コピーサービスの内容が表示されることといえる。
　同様に、引用発明２の「通常コピー選択ボタン６０に」「通常サービスが有している機能のうち、簡易コピーサービスが有していない機能である、わく消し機能を有していること示す、わく消し選択アイコン９０、製本機能を有していることを示す、製本選択アイコン９２、及びコピー位置／とじしろ機能を有していることを示すコピー位置／とじしろ選択アイコン９４と、がそれぞれの機能の設定値（パラメータ）を含んで表示され」ることは、通常コピー選択ボタン６０に通常サービスの内容が表示されることといえる。
　同様に、引用発明２の「簡易ファックス選択ボタン６３上に」「簡易ファックスが有する全機能を示すアイコンとして、送信画質選択アイコン１５６、原稿の画質設定アイコン１５８、及び両面原稿送りアイコン１６０が設定値を含んで表示されることは、簡易ファックス選択ボタン６３上にサービスの内容が表示されることといえる。
　同様に、「通常ファックス選択ボタン６２上に」「簡易ファックスに無い機能である、リダイヤル機能を示すリダイヤルアイコン１５０、送信濃度を選択する機能を示す送信濃度選択アイコン１５２、及び宛先表を表示させて宛先を選択する機能を示す宛先選択アイコン１５４が設定値を含んで表示される」ることは、通常ファックス選択ボタン６３上にサービスの内容が表示されることといえる。
　また、引用発明２の「通常コピー選択ボタン６０、簡易コピー選択ボタン６１、通常ファックス選択ボタン６２、簡易ファックス選択ボタン６３、通常スキャナ選択ボタン６４、簡易スキャナ選択ボタン６５」は、いずれも「操作パネル」に「表示」されるものであるから、サービスのアイコンということができる。
　そうすると、引用発明２は、サービスの名称を含むサービスのアイコンについて、サービス内容をも含むものであるということができる。
　そして、引用発明１と引用発明２とは、共に、複合機の各サービスを選択するために操作パネルに表示されるボタンに係る発明である点で共通し、両発明に接した当業者であれば、引用発明１の「ユーザサービスのボタン」に対し、そのサービス内容をユーザに把握させるために、引用発明２を適用しようと想起することに格別の困難性はなく、そのようにして相違点に係る本願発明の構成とすることは容易になし得たことである。
（効果について）
　本願発明の奏する作用効果は、引用発明１及び引用発明２の奏する作用効果から予測される範囲内のものにすぎず、格別顕著なものということはできない。
（請求人の主張について）
　請求人は、令和１年１２月１２日の意見書において、
（１）引用文献１は、利用権限に列挙されているユーザサービスのボタンのみを選択可能に表示された機能選択画面を開示しているが、サービスの内容はユーザサービスのボタン表示に含まれていない、
（２）引用文献２は、図４にて簡易コピー選択ボタン６０にサービスの名称と設定可能な機能を表示しているが、利用者に応じて表示するものではない、
（３）本願では「複数の機能部のうちの予め選択された機能部を使用したサービスを提供」することを「利用者に応じて」行うものであり、この場合、サービスの名称だけで、サービスの内容を把握することは容易ではない、
（４）サービスの名称が同じであっても、利用者に応じてその内容が異なることも考えられる、
（５）「利用者に応じてサービスの名称及びサービスの内容を含むサービスのアイコンを選択肢として並べる」ことで、本願特有の効果が得られる、
旨を主張する。
　しかしながら、上記（１）及び（２）の主張について、上記５（２）で説示したように、引用発明１のユーザサービスのボタンは利用者に応じて表示されるものであり、また、上記６で説示したように、引用発明２の選択ボタンはサービス内容の表示が含まれるものであって、両発明に接した当業者であれば、引用発明１に引用発明２を適用しようと想起することに格別の困難性はなく、そのようにして、サービスの内容の表示を含むユーザサービスのボタン（選択ボタン）を利用者に応じて表示するものとすることは容易になし得たことである。
　また、上記（３）及び（５）の主張について、「複数の機能部のうちの予め選択された機能部を使用したサービスを提供」することを「利用者に応じて」行う場合に、「利用者に応じてサービスの名称及びサービスの内容を含むサービスのアイコンを選択肢として並べる」ことにより、サービスの名称だけでなく、サービスの内容を把握することを容易にするという作用効果は、ユーザサービスのボタンを利用者に応じて表示する引用発明１の奏する作用効果、及び選択ボタンがサービス内容の表示を含む引用発明２が奏する作用効果から予測される範囲内のものにすぎず、格別顕著なものということはできない。
　さらに、上記（４）の主張について、上記２で説示したように、請求項１の「利用者に応じて前記サービスの名称及び前記サービスの内容を含む前記サービスのアイコンを選択肢として並べた操作画面を表示部に表示させる」とは、利用者が契約している貸出サービスに応じて、貸出サービスによって提供可能な貸出サービスのみをメニュー画面に表示させたり、貸出サービスによって提供されないサービスを貸出サービスとは異なる表示形態でメニュー画面に表示させたりすることを意味するものと解するのが相当であるから、これを、選択肢として表示させるサービスのアイコンに含まれるサービスの内容について利用者に応じて異ならせることであるとする請求人の解釈は請求項の記載に基づくものではない。
　なお、選択肢として表示させるサービスのアイコンに含まれるサービスの内容について利用者に応じて異ならせることは、本願の明細書及び図面に記載されておらず、それが自明の事項ということもできないことを付言する。
（まとめ）
　したがって、本願発明は、引用発明１及び引用発明２に基づいて、当業者が容易に発明をすることができたものであり、特許法第２９条第２項の規定により特許を受けることができない。
７　むすび
　以上のとおり、本願発明は、特許法第２９条第２項の規定により特許を受けることができないから、他の請求項に係る発明について検討するまでもなく、本願は、拒絶されるべきものである。
　よって、結論のとおり審決する。